(57)【特許請求の範囲】
【請求項１】
複数の基地局装置から送信された基地局装置毎に固有のスクランブルコードが乗算された信号を受信するとともに、前記信号に含まれる各基地局装置から重ならないタイミングで送信された各パイロット信号を異なるタイミングで受信する受信手段と、
前記受信手段にて異なるタイミングにて受信した各基地局装置の前記パイロット信号の受信タイミングと前記スクランブルコードとを検出する受信同期手段と、
前記受信同期手段にて検出された前記受信タイミング及び前記スクランブルコードを基地局装置毎に記憶する記憶手段と、
前記記憶手段に記憶されている前記受信タイミング及び前記スクランブルコードに基づいて、前記受信手段にて受信した各基地局装置の前記信号を逆拡散処理した後に復調する復調手段と、
前記復調手段にて各基地局装置の前記信号が逆拡散処理されるタイミングで前記記憶手段に記憶されている逆拡散処理される基地局装置の前記受信タイミング及び前記スクランブルコードが前記復調手段へ出力されるように出力を切り替える切替手段と、
自局の位置の情報である位置情報を取得する位置情報取得手段と、
前記受信同期手段にて検出された前記受信タイミングの基地局装置間の差と前記位置情報取得手段にて取得された前記位置情報とあらかじめ記憶している基地局装置の位置の情報と電波の速度とに基づいて、基地局装置間の前記パイロット信号の受信タイミングの差の基準値に対する誤差を算出する同期ずれ算出手段と、
前記同期ずれ算出手段にて算出された前記誤差の情報である同期ずれ情報を基地局装置に通知する通知手段と、
を具備する通信端末装置。
【請求項２】
パイロット信号が他局から送信されるパイロット信号とは重ならないタイミングで送信されるように前記パイロット信号の送信タイミングを設定するパイロットスケジューラ手段と、
前記パイロットスケジューラ手段にて前記送信タイミングが設定された前記パイロット信号を含む送信信号に対して各局固有のスクランブルコードを乗算する乗算手段と、
前記パイロットスケジューラ手段にて設定された前記送信タイミングで前記パイロット信号が送信されるように前記乗算手段にて前記スクランブルコードが乗算された前記送信信号を送信する送信手段と、
を具備し、
前記パイロットスケジューラ手段は、
他局の前記パイロット信号の送信タイミングに対して１ＯＦＤＭシンボルの有効シンボル長より長い時間差を設けて前記パイロット信号の送信タイミングをフレーム毎に設定する基地局装置。
【請求項３】
パイロット信号が他局から送信されるパイロット信号とは重ならないタイミングで送信されるように前記パイロット信号の送信タイミングを設定するパイロットスケジューラ手段と、
前記パイロットスケジューラ手段にて前記送信タイミングが設定された前記パイロット信号を含む送信信号に対して各局固有のスクランブルコードを乗算する乗算手段と、
前記パイロットスケジューラ手段にて設定された前記送信タイミングで前記パイロット信号が送信されるように前記乗算手段にて前記スクランブルコードが乗算された前記送信信号を送信する送信手段と、
前記送信信号の各フレームの先頭シンボルに前記パイロット信号が挿入されるように前記パイロット信号と送信データとを多重して前記送信信号を生成する多重手段と、を具備し、
前記パイロットスケジューラ手段は、
前記多重手段にて生成された前記送信信号の各フレームの前記多重手段からの出力開始のタイミングを設定することにより前記パイロット信号の送信タイミングを設定する基地局装置。
【請求項４】
パイロット信号が他局から送信されるパイロット信号とは重ならないタイミングで送信されるように前記パイロット信号の送信タイミングを設定するパイロットスケジューラ手段と、
前記パイロットスケジューラ手段にて前記送信タイミングが設定された前記パイロット信号を含む送信信号に対して各局固有のスクランブルコードを乗算する乗算手段と、
前記パイロットスケジューラ手段にて設定された前記送信タイミングで前記パイロット信号が送信されるように前記乗算手段にて前記スクランブルコードが乗算された前記送信信号を送信する送信手段と、
前記送信信号の各フレームにおける所定のシンボルに前記パイロット信号を挿入することにより前記パイロット信号と送信データとを多重して前記送信信号を生成する多重手段と、を具備し、
前記パイロットスケジューラ手段は、
前記多重手段にて前記パイロット信号が挿入されるシンボルの位置を設定するとともに他局と同一のタイミングで前記多重手段から各フレームの前記送信信号を出力させることにより前記パイロット信号の送信タイミングを設定する基地局装置。
【請求項５】
パイロット信号が他局から送信されるパイロット信号とは重ならないタイミングで送信されるように前記パイロット信号の送信タイミングを設定するパイロットスケジューラ手段と、
前記パイロットスケジューラ手段にて前記送信タイミングが設定された前記パイロット信号を含む送信信号に対して各局固有のスクランブルコードを乗算する乗算手段と、
前記パイロットスケジューラ手段にて設定された前記送信タイミングで前記パイロット信号が送信されるように前記乗算手段にて前記スクランブルコードが乗算された前記送信信号を送信する送信手段と、
サブキャリア番号とフレームの先頭からのシンボル数とで特定される所定の位置に前記パイロット信号を挿入して前記パイロット信号と送信データとを多重して前記送信信号を生成する多重手段と、を具備し、
前記パイロットスケジューラ手段は、
前記多重手段にて前記パイロット信号が挿入されるサブキャリア番号とフレームの先頭からのシンボル数とで特定される位置を設定することにより前記パイロット信号の送信タイミングを設定する基地局装置。
【発明の詳細な説明】
【技術分野】
【０００１】
本発明は、通信端末装置及び基地局装置に関し、特に下りリンクにＯＦＣＤＭ（Orthogonal Frequency and Code Division Multiplexing；直交周波数・符号分割多重接続）を使用した１周波数繰り返しセルラーシステムにおける通信端末装置及び基地局装置に関する。
【背景技術】
【０００２】
従来の移動体セルラー通信システムにおいて、拡散符号を使用したＯＦＤＭ（Orthogonal Frequency Division Multiplexing）、即ちＯＦＣＤＭにおける１周波数繰り返しセルラーシステムを実現する場合には、互いのセルの電波をスクランブリングコードを使用して雑音化し、受信側にて逆拡散で信号を分離することで干渉量を低減することができるものが知られている（例えば、特許文献１）。また、基地局装置のセル半径が有限である移動体セルラーシステムでは、移動局は、移動に伴って基地局装置を順次切替える必要があるので、切替え候補の基地局装置を知る手段が必要である。そこで、移動局は、移動局との通信圏内にある基地局装置から、周辺に存在する他の基地局装置の情報を報知情報として報知してもらう方法等により、切替え候補の周辺の基地局装置を知ることができる。そして、移動局は、切替え候補の基地局装置の電波を実際に受信して電波伝播状況を測定することにより、切替え候補の基地局へハンドオーバーすることが可能か否かを判断している。このように、セル境界付近でハンドオーバーをスムーズに行うために、移動局は、事前にハンドオーバー先として予測される基地局装置(以下「アクティブセット」と記載する)の受信状態を測定する。
【０００３】
セルラーシステムにおいて、各セルでは、拡散符号を用いて、送信側では拡散処理するとともに受信側では逆拡散処理する符号拡散方式(ＣＤＭＡ)が用いられている。符号拡散方式を用いる場合には、各セルで同一周波数を使用しても、セル間の信号が直交性を持つことができるため、セル間で同一周波数を繰り返し使用することができる。このようなシステムは、１周波数繰り返しセルラーシステムと呼ばれる。
【０００４】
また、ＯＦＤＭ変調方式などのマルチキャリア伝送方式では、送信側で情報信号を複数のサブキャリアで変調し、マルチパス遅延波による波形歪みを低減する目的で送信信号にガードインターバルを挿入する。
【０００５】
また、移動体通信では、基地局装置と移動局との間の移動速度に応じたドップラー周波数による周波数ずれを起こす。また、ドップラー周波数は、一つの移動局と各基地局装置との間では各々異なる周波数になる。基地局装置と移動局との相対速度をＶ、光速をＣ及び通信搬送波周波数をｆ０とした場合、ドップラー周波数ｆｄは、ｆｄ＝（Ｖ×ｆ０）／Ｃにより求めることができる。例えば、４ＧＨｚの搬送波において相対速度３００ｋｍ／ｈの場合、ドップラー周波数による周波数のずれは１ｋＨｚを超える値となる。２つの基地局装置と移動局との相対速度において、一方の基地局装置と移動局との相対速度が＋３００ｋｍ／ｈであり、他方の基地局装置と移動局との相対速度が−３００ｋｍ／ｈの場合には、移動局における２つの基地局装置からの受信電波は２ｋＨｚ以上の周波数ずれを生じる。
【０００６】
また、ＯＦＤＭ受信装置において離散フーリエ変換を行う場合には、周波数が異なると直交性が崩れて復調精度が落ちる。従って、ＯＦＤＭ受信装置は、ＯＦＤＭ受信装置のＲＦ部にて目的のセルの周波数に引き込むことにより、基地局装置と移動局との間で生じるドップラー周波数等を含めた受信電波の周波数ずれを補正しなければならない。また、移
動局におけるスクランブルコードの受信タイミングを検出する回路は、各アクティブセットのパイロット信号毎にＦＦＴ（高速フーリエ変換）タイミングを設定して、各パイロット信号の受信タイミングを検出する。この際、全てのアクティブセットのパイロット信号の受信タイミングを１つの回路で検出する場合で、かつ各アクティブセットのパイロット信号が時間的に重なった状態で受信された場合に、ある１つのアクティブセットの周波数ずれが補正された場合には、補正後の周波数にて、異なる周波数ずれを持つ他のアクティブセットの周波数ずれを補正することはできない。この結果、他のアクティブセットのパイロット信号の受信タイミングは、正しく検出されない。なぜならば、他のアクティブセットのパイロット信号は、周波数のずれた状態でＦＦＴすることになり、直交性が崩れているからである。従って、ＯＦＣＤＭの１周波数繰り返しセルラーシステムを実現する場合、アクティブセットの測定を行うには、アクティブセットごとの周波数引き込み回路及び同期タイミングを検出するＦＦＴ回路が必要になる。ここで、スクランブルコードとは、長周期拡散符号であり、セルごとに異なる符号であるとともにセル間で互いに直交する符号である。
【０００７】
現在、第３世代移動体通信セルラーシステムでは、移動局は最大８個のアクティブセットの受信信号のＳＩＲ測定を行っている。ＯＦＣＤＭを用いたセルラーシステムにおいて、第３世代移動体通信セルラーシステムと同様に、複数のアクティブセットの同期信号の受信が移動局に求められる場合、移動局には周波数引き込み回路から復調回路までを複数並列に設ける必要がある。
【特許文献１】特開２００３−１５２６８１号公報
【発明の開示】
【発明が解決しようとする課題】
【０００８】
しかしながら、従来の装置においては、各アクティブセットの同期信号を受信するために、周波数引き込み用の局部発振器、Ａ／Ｄコンバータ及びＦＦＴ回路等が複数必要になるので、回路規模が大型化してしまうという問題がある。
【０００９】
本発明の目的は、１つの回路部品にて複数個のアクティブセットの測定を行うことができることにより、回路規模を小さくすることができる通信端末装置及び基地局装置を提供することである。
【課題を解決するための手段】
【００１０】
本発明の通信端末装置は、複数の基地局装置から送信された基地局装置毎に固有のスクランブルコードが乗算された信号を受信するとともに、前記信号に含まれる各基地局装置から重ならないタイミングで送信された各パイロット信号を異なるタイミングで受信する受信手段と、前記受信手段にて異なるタイミングにて受信した各基地局装置の前記パイロット信号の受信タイミングと前記スクランブルコードとを検出する受信同期手段と、前記受信同期手段にて検出された前記受信タイミング及び前記スクランブルコードを基地局装置毎に記憶する記憶手段と、前記記憶手段に記憶されている前記受信タイミング及び前記スクランブルコードに基づいて、前記受信手段にて受信した各基地局装置の前記信号を逆拡散処理した後に復調する復調手段と、前記復調手段にて各基地局装置の前記信号が逆拡散処理されるタイミングで前記記憶手段に記憶されている逆拡散処理される基地局装置の前記受信タイミング及び前記スクランブルコードが前記復調手段へ出力されるように出力を切り替える切替手段と、自局の位置の情報である位置情報を取得する位置情報取得手段と、前記受信同期手段にて検出された前記受信タイミングの基地局装置間の差と前記位置情報取得手段にて取得された前記位置情報とあらかじめ記憶している基地局装置の位置の情報と電波の速度とに基づいて、基地局装置間の前記パイロット信号の受信タイミングの差の基準値に対する誤差を算出する同期ずれ算出手段と、前記同期ずれ算出手段にて算出された前記誤差の情報である同期ずれ情報を基地局装置に通知する通知手段と、を具備する構成を採る。
【００１１】
本発明の基地局装置は、パイロット信号が他局から送信されるパイロット信号とは重ならないタイミングで送信されるように前記パイロット信号の送信タイミングを設定するパイロットスケジューラ手段と、前記パイロットスケジューラ手段にて前記送信タイミングが設定された前記パイロット信号を含む送信信号に対して各局固有のスクランブルコードを乗算する乗算手段と、前記パイロットスケジューラ手段にて設定された前記送信タイミングで前記パイロット信号が送信されるように前記乗算手段にて前記スクランブルコードが乗算された前記送信信号を送信する送信手段と、を具備し、前記パイロットスケジューラ手段は、他局の前記パイロット信号の送信タイミングに対して１ＯＦＤＭシンボルの有効シンボル長より長い時間差を設けて前記パイロット信号の送信タイミングをフレーム毎に設定する構成を採る。
【００１２】
また、本発明の基地局装置は、パイロット信号が他局から送信されるパイロット信号とは重ならないタイミングで送信されるように前記パイロット信号の送信タイミングを設定するパイロットスケジューラ手段と、前記パイロットスケジューラ手段にて前記送信タイミングが設定された前記パイロット信号を含む送信信号に対して各局固有のスクランブルコードを乗算する乗算手段と、前記パイロットスケジューラ手段にて設定された前記送信タイミングで前記パイロット信号が送信されるように前記乗算手段にて前記スクランブルコードが乗算された前記送信信号を送信する送信手段と、前記送信信号の各フレームの先頭シンボルに前記パイロット信号が挿入されるように前記パイロット信号と送信データとを多重して前記送信信号を生成する多重手段と、を具備し、前記パイロットスケジューラ手段は、前記多重手段にて生成された前記送信信号の各フレームの前記多重手段からの出力開始のタイミングを設定することにより前記パイロット信号の送信タイミングを設定する構成を採る。
また、本発明の基地局装置は、パイロット信号が他局から送信されるパイロット信号とは重ならないタイミングで送信されるように前記パイロット信号の送信タイミングを設定するパイロットスケジューラ手段と、前記パイロットスケジューラ手段にて前記送信タイミングが設定された前記パイロット信号を含む送信信号に対して各局固有のスクランブルコードを乗算する乗算手段と、前記パイロットスケジューラ手段にて設定された前記送信タイミングで前記パイロット信号が送信されるように前記乗算手段にて前記スクランブルコードが乗算された前記送信信号を送信する送信手段と、前記送信信号の各フレームにおける所定のシンボルに前記パイロット信号を挿入することにより前記パイロット信号と送信データとを多重して前記送信信号を生成する多重手段と、を具備し、前記パイロットスケジューラ手段は、前記多重手段にて前記パイロット信号が挿入されるシンボルの位置を設定するとともに他局と同一のタイミングで前記多重手段から各フレームの前記送信信号を出力させることにより前記パイロット信号の送信タイミングを設定する構成を採る。
また、本発明の基地局装置は、パイロット信号が他局から送信されるパイロット信号とは重ならないタイミングで送信されるように前記パイロット信号の送信タイミングを設定するパイロットスケジューラ手段と、前記パイロットスケジューラ手段にて前記送信タイミングが設定された前記パイロット信号を含む送信信号に対して各局固有のスクランブルコードを乗算する乗算手段と、前記パイロットスケジューラ手段にて設定された前記送信タイミングで前記パイロット信号が送信されるように前記乗算手段にて前記スクランブルコードが乗算された前記送信信号を送信する送信手段と、サブキャリア番号とフレームの先頭からのシンボル数とで特定される所定の位置に前記パイロット信号を挿入して前記パイロット信号と送信データとを多重して前記送信信号を生成する多重手段と、を具備し、前記パイロットスケジューラ手段は、前記多重手段にて前記パイロット信号が挿入されるサブキャリア番号とフレームの先頭からのシンボル数とで特定される位置を設定することにより前記パイロット信号の送信タイミングを設定する構成を採る。
【発明の効果】
【００１３】
本発明によれば、１つの回路部品にて複数個のアクティブセットの測定を行うことができることにより、回路規模を小さくすることができる。
【発明を実施するための最良の形態】
【００１４】
以下、本発明の実施の形態について、図面を参照して詳細に説明する。
【００１５】
（実施の形態１）
図１は、本発明の実施の形態１に係る通信端末装置１００の構成を示すブロック図である。Ａ／Ｄ変換部１０１、局部発振器１０２、乗算器１０３及び帯域フィルタ１０４は、ダウンコンバーターである周波数変換部１１８（受信手段）を構成する。また、スクランブルコード受信タイミング検出回路１０６及びスクランブルコード同定回路１０７は、受信同期部１１９を構成する。また、周波数ずれメモリ１０９、スクランブルコード受信タイミングメモリ１１０及びスクランブルコードメモリ１１１は、メモリ切替え部１２０を構成する。また、受信同期部１１９、周波数測定部１０８、復調回路１１２及びメモリ切替え部１２０は、復調部１２１を構成する。また、同期基地局切替え器１０５、局部発振器１１３、周波数変換部１１８及び復調部１２１は、受信装置１２２を構成する。
【００１６】
Ａ／Ｄ変換部１０１は、入力した受信信号をアナログ信号からデジタル信号に変換して乗算器１０３へ出力する。ここで、Ａ／Ｄ変換部１０１に入力した受信信号は、図示しないアンテナにて受信して入力したものであり、マルチキャリア高周波数（以下「ＲＦ」と記載する）信号またはマルチキャリア中間周波数（以下「ＩＦ」と記載する）信号である。
【００１７】
局部発振器１０２は、例えばダイレクトデジタルシンセサイザ（ＤＤＳ）を用いた数値制御発振器（ＮＣＯ：Numerically Controlled Oscillator）であり、目的のセルの周波数を引き込むために、後段の周波数ずれメモリ１０８から入力した周波数ずれの情報である周波数ずれ情報に基づいて所定の周波数の信号を生成して乗算器１０３へ出力する。マルチキャリア入力周波数期待値ｆｃに対してドップラー周波数等の周波数ずれｆｄが生じた信号が実際に受信した受信信号であるが、局部発振器１０２は、実際の受信信号がマルチキャリア入力周波数期待値ｆｃに周波数同期することができるように、実際の受信信号の周波数ずれｆｄを補正する周波数の信号を生成する。
【００１８】
乗算器１０３は、Ａ／Ｄ変換部１０１から入力した受信信号に対して、局部発振器１０２から入力した信号を乗算してドップラー周波数等に起因する周波数ずれを補正して帯域フィルタ１０４へ出力する。
【００１９】
帯域フィルタ１０４は、乗算器１０３から入力した受信信号の所定の帯域のみを通過させるものであり、通過した所定の帯域の受信信号をスクランブルコード受信タイミング検出回路１０６、スクランブルコード同定回路１０７、周波数測定部１０８及び復調回路１１２へ出力する。
【００２０】
切替手段である同期基地局切替え器１０５は、復調回路１１２から入力した受信信号に含まれている各基地局装置の報知情報より、各基地局装置のスクランブルコードの情報及び各基地局装置のパイロット信号の送信タイミングの情報を抽出する。そして、同期基地局切替え器１０５は、抽出した送信タイミングの情報を用いて、各基地局装置のパイロット信号の送信パターンを複製して記憶する。また、同期基地局切替え器１０５は、抽出した各基地局装置のスクランブルコードの情報より、復調回路１１２で復調する基地局装置の受信信号に対応するスクランブルコードを復調回路１１２に出力するように、スクランブルコードメモリ１１１へ出力指示信号を出力する。また、同期基地局切替え器１０５は
、記憶している各基地局装置のパイロット信号の送信パターンより、各基地局装置の受信信号をスクランブルコードで逆拡散処理するタイミングを推定し、推定した逆拡散処理するタイミングで、逆拡散処理される基地局装置の周波数ずれ情報、受信タイミング情報及びスクランブルコード情報が出力されるように、周波数ずれメモリ１０９、スクランブルコード受信タイミングメモリ１１０及びスクランブルコードメモリ１１１へ、切替えタイミング信号を出力する。
【００２１】
スクランブルコード受信タイミング検出回路１０６は、帯域フィルタ１０４から入力した受信信号より、各基地局装置のパイロット信号の受信タイミングを検出する。そして、スクランブルコード受信タイミング検出回路１０６は、検出した各基地局装置のパイロット信号の受信タイミングの情報である受信タイミング情報を、スクランブルコード同定回路１０７及びスクランブルコード受信タイミングメモリ１１０へ出力する。スクランブルコード受信タイミング検出回路１０６は、処理を繰り返すことにより、最適な受信タイミングに収束させることができる。なお、スクランブルコード受信タイミング検出回路１０６の構成の詳細については後述する。
【００２２】
スクランブルコード同定回路１０７は、帯域フィルタ１０４から入力した受信信号及びスクランブルコード受信タイミング検出回路１０６から入力した受信タイミング情報より、各基地局装置のスクランブルコードを検出する。そして、スクランブルコード同定回路１０７は、検出した各基地局装置のスクランブルコードの情報であるスクランブルコード情報をスクランブルコードメモリ１１１へ出力する。スクランブルコード同定回路１０７は、処理を繰り返すことにより、最適なスクランブルコードに収束させることができる。なお、スクランブルコード同定回路１０７の構成の詳細については後述する。
【００２３】
周波数測定部１０８は、帯域フィルタ１０４から入力した受信信号の周波数を測定する。そして、周波数測定部１０８は、測定した周波数と局部発振器１１３から入力した基準となる周波数とを比較して、測定した周波数と基準となる周波数との差である周波数ずれｆｄを検出する。そして、周波数測定部１０８は、検出した周波数ずれｆｄの情報を周波数ずれ情報として周波数ずれメモリ１０９へ出力する。
【００２４】
周波数ずれメモリ１０９は、周波数測定部１０８から入力した周波数ずれｆｄの周波数ずれ情報を基地局装置毎に記憶する。そして、周波数ずれメモリ１０９は、記憶している周波数ずれ情報の中から、同期基地局切替え器１０５から入力した切替えタイミング信号にて指示された基地局装置の周波数ずれ情報を局部発振器１０２へ出力する。
【００２５】
記憶手段であるスクランブルコード受信タイミングメモリ１１０は、スクランブルコード受信タイミング検出回路１０６から入力した、パイロット信号の受信タイミング情報を基地局装置毎に記憶する。そして、スクランブルコード受信タイミングメモリ１１０は、記憶している受信タイミング情報の中から、同期基地局切替え器１０５から入力した切替えタイミング信号にて指示された基地局装置のスクランブルコード受信タイミング情報を復調回路１１２へ出力する。また、スクランブルコード受信タイミングメモリ１１０は、記憶している受信タイミング情報を所定のタイミングにて同期ずれ算出部１１５へ出力する。
【００２６】
記憶手段であるスクランブルコードメモリ１１１は、スクランブルコード同定回路１０７から入力したスクランブルコード情報を基地局装置毎に記憶する。そして、スクランブルコードメモリ１１１は、記憶しているスクランブルコード情報の中から、同期基地局切替え器１０５から入力した切替えタイミング信号にて指示された基地局装置のスクランブルコード情報を復調回路１１２へ出力する。
【００２７】
復調手段である復調回路１１２は、スクランブルコード受信タイミングメモリ１１０から入力した受信タイミング情報及びスクランブルコードメモリ１１１から入力したスクランブルコード情報に基づいて、帯域フィルタ１０４から入力した受信信号を復調する。具体的には、復調回路１１２は、帯域フィルタ１０４から入力した受信信号からガードインターバル（以下「ＧＩ」と記載する）期間を除去してＦＦＴ演算を行う。そして、復調回路１１２は、スクランブルコード受信タイミングメモリ１１０から入力した受信タイミング情報のタイミングにて、スクランブルコードメモリ１１１から入力したスクランブルコード情報のスクランブルコードにて逆拡散処理を行う。さらに、復調回路１１２は、あらかじめ記憶している既知のパターンの短周期拡散符号を用いて、受信信号を逆拡散処理し、逆拡散処理した受信信号を、並列データ形式から直列データ形式に変換して復調及び復号する。そして、復調回路１１２は、復調及び復号した受信信号を同期基地局切替え器１０５へ出力するとともに受信データとして出力する。
【００２８】
局部発振器１１３は、基準となる周波数の信号を生成して、周波数測定部１０８へ出力する。また、局部発振器１１３は、周波数変換部１１８及び復調部１２１全体の基準となる周波数の信号を周波数変換部１１８及び復調部１２１へ出力する。
【００２９】
位置情報取得部１１４は、ＧＰＳにて測定した自局の位置の情報である位置情報を取得して、取得した位置情報を同期ずれ算出部１１５へ出力する。
【００３０】
同期ずれ算出部１１５は、スクランブルコード受信タイミングメモリ１１０から入力した各基地局装置のパイロット信号の受信タイミング情報と、位置情報取得部１１４から入力した位置情報と、あらかじめ記憶している各基地局装置の位置の情報と、電波の速度とに基づいて、基地局装置間のパイロット信号の受信タイミング差の基準値に対する誤差である同期ずれを算出する。そして、同期ずれ算出部１１５は、算出した同期ずれの情報である同期ずれ情報を多重部１１６へ出力する。なお、同期ずれを算出する方法の詳細については後述する。
【００３１】
多重部１１６は、送信データと同期ずれ算出部１１５から入力した同期ずれ情報とを多重して変調部１１７へ出力する。
【００３２】
変調部１１７は、多重部１１６から入力した同期ずれ情報と送信データが多重された信号を変調して、ＲＦ信号またはＩＦ信号として出力する。変調部１１７から出力されたＲＦ信号またはＩＦ信号は図示しないアンテナより送信される。多重部１１６及び変調部１１７は、同期ずれ情報を基地局装置に通知する通知手段である。
【００３３】
次に、基地局装置２００の構成について、図２を用いて説明する。図２は、基地局装置２００の構成を示すブロック図である。送信データ発生部２０１、伝送路符号化部２０２、データ変調部２０３、パイロットスケジューラ部２０４、多重部２０５、直並列変換部２０６、コピー部２０７−１〜２０７−ｎ（ｎはサブキャリア数）、短周期拡散符号生成器２０８及び乗算器２０９−１−１〜２０９−ｎ−ｑ（ｑは任意の自然数）は、信号処理部２１６−１〜２１６−ｒ（ｒは任意の自然数）を構成する。また、合成部２１０、スクランブルコード生成器２１１、乗算器２１２−１〜２１２−ｎ、ＩＦＦＴ部２１３、ＧＩ付加部２１４及び信号処理部２１６−１〜２１６−ｒは、送信装置２１７を構成する。
【００３４】
送信データ発生部２０１は、報知情報を含む送信データを生成して伝送路符号化部２０２へ出力する。報知情報は、基地局装置２００が使用しているスクランブルコードの情報及び基地局装置２００におけるパイロット信号の送信タイミングの情報を含んでいる。
【００３５】
伝送路符号化部２０２は、送信データ発生部２０１から入力した送信データを符号化し
てデータ変調部２０３へ出力する。
【００３６】
データ変調部２０３は、伝送路符号化部２０２から入力した送信データを変調して多重部２０５へ出力する。
【００３７】
パイロットスケジューラ部２０４は、他局である他の基地局装置のパイロット信号の送信タイミングを記憶しており、記憶している他の基地局装置のパイロット信号の送信タイミングと基準時間とに基づいて、他の基地局装置におけるパイロット信号の送信タイミングと重ならないように、自局のパイロット信号の送信タイミングを設定する。そして、パイロットスケジューラ部２０４は、設定したパイロット信号の送信タイミングにてパイロット信号が送信されるように、多重部２０５に対して出力を指示する。また、パイロットスケジューラ部２０４は、復調部２１５から入力した同期ずれ情報に基づいて、パイロット信号の他の基地局装置との同期ずれを補正する。なお、パイロット信号の送信タイミングを設定する方法については後述する。
【００３８】
多重部２０５は、パイロットスケジューラ部２０４の指示に従って、パイロット信号と送信データとを多重して直並列変換部２０６へ出力する。
【００３９】
直並列変換部２０６は、多重部２０５から入力した多重されたデータを直列データ形式から並列データ形式に変換してコピー部２０７−１〜２０７−ｎへ出力する。
【００４０】
コピー部２０７−１〜２０７−ｎは、直並列変換部２０６から入力したデータを複製して乗算器２０９−１−１〜２０９−ｎ−ｑへ出力する。
【００４１】
短周期拡散符号生成器２０８は、短周期拡散符号を生成して乗算器２０９−１−１〜２０９−ｎ−ｑへ出力する。
【００４２】
乗算器２０９−１−１〜２０９−ｎ−ｑは、コピー部２０７−１〜２０７−ｎから入力したデータに短周期拡散符号生成器２０８から入力した短周期拡散符号を乗算して拡散処理し、拡散処理後のデータを合成部２１０へ出力する。
【００４３】
合成部２１０は、各信号処理部２１６−１〜２１６−ｍの乗算器２０９−１−１〜２０９−ｎ−ｑから入力した拡散処理後のデータを合成して乗算器２１２−１〜２１２−ｎへ出力する。
【００４４】
スクランブルコード生成器２１１は、各基地局装置に固有のスクランブルコードを生成して、生成したスクランブルコードを乗算器２１２−１〜２１２−ｎへ出力する。
【００４５】
乗算器２１２−１〜２１２−ｎは、合成部２１０から入力したデータにスクランブルコード生成器２１１から入力したスクランブルコードを乗算してＩＦＦＴ部２１３へ出力する。
【００４６】
ＩＦＦＴ部２１３は、乗算器２１２−１〜２１２−ｎから入力したデータをＩＦＦＴ（逆高速フーリエ変換）処理してＧＩ付加部２１４へ出力する。
【００４７】
ＧＩ付加部２１４は、ＩＦＦＴ部２１３から入力したデータにＧＩ期間を付加して出力する。そして、ＧＩ付加部２１４から出力された送信信号は、図示しないアップコンバータである周波数変換部（送信手段）で周波数変換されて、マルチキャリア高周波数（ＲＦ）信号または中間周波数（ＩＦ）信号として図示しないアンテナから送信される。
【００４８】
復調部２１５は、図示しないアンテナにて受信した高周波数（ＲＦ）信号または中間周波数（ＩＦ）信号を復調することにより、受信信号に含まれている同期ずれ情報を抽出する。そして、復調部２１５は、抽出した同期ずれ情報をパイロットスケジューラ部２０４へ出力するとともに、復調後の復調データを出力する。
【００４９】
次に、スクランブルコード受信タイミング検出回路１０６の構成の詳細について、図３を用いて説明する。図３は、スクランブルコード受信タイミング検出回路１０６の構成を示すブロック図である。同期信号レプリカ生成器３０４及び相関器３０５は、相関演算部３０９−１〜３０９−ｓ（ｓは任意の自然数）を構成する。また、ＧＩ除去部３０２、ＦＦＴ部３０３、加算器３０６、相関値とタイミングのメモリ３０７及び相関演算部３０９−１〜３０９−ｓは、同期信号相関検出回路３１０−１〜３１０−ｓを構成する。相関演算部３０９−１〜３０９−ｓは、同期チャネルが多重されているサブキャリア数設けられる。また、同期信号相関検出回路３１０−１〜３１０−ｓは、ＦＦＴタイミング設定回路３０１にて設定されるＦＦＴタイミング毎に設けられる。
【００５０】
ＦＦＴタイミング設定回路３０１は、あらかじめ決められているＦＦＴタイミングを設定して、設定したＦＦＴタイミングの情報であるＦＦＴタイミング情報をＧＩ除去部３０２へ出力する。
【００５１】
ＧＩ除去部３０２は、ＦＦＴタイミング設定回路３０１から入力したＦＦＴタイミング情報のＦＦＴタイミングで、帯域フィルタ１０４から入力した受信信号に含まれるＧＩ期間を取り除く。そして、ＧＩ除去部３０２は、ＧＩ期間を取り除いた後の受信信号をＦＦＴ部３０３へ出力する。
【００５２】
ＦＦＴ部３０３は、ＧＩ除去部３０２から入力した受信信号のＦＦＴウィンドウ内をＦＦＴ演算する。そして、ＦＦＴ部３０３は、パイロット信号が挿入されているシンボルのＦＦＴ演算した結果を相関器３０５へ出力する。
【００５３】
同期信号レプリカ生成器３０４は、パイロット信号に含まれている既知パターンの同期信号を生成し、生成した同期信号を相関器３０５へ出力する。
【００５４】
相関器３０５は、ＦＦＴ部３０３から入力したＦＦＴ演算した結果と同期信号レプリカ生成器３０４から入力した同期信号との相関演算を行う。そして、相関器３０５は、相関演算結果を加算器３０６へ出力する。
【００５５】
加算器３０６は、相関器３０５から入力した相関演算結果を加算して相関値とタイミングのメモリ３０７へ出力する。
【００５６】
相関値とタイミングのメモリ３０７は、加算器３０６から入力した相関演算結果の加算結果を記憶する。そして、相関値とタイミングメモリ３０７は、記憶している相関演算結果の加算結果の中から、タイミング検出回路３０８にて選択された加算結果をタイミング検出回路３０８へ出力する。
【００５７】
タイミング検出回路３０８は、相関値とタイミングのメモリ３０７に記憶されている相関演算結果の加算結果の中から、最も大きい相関値が得られたタイミングをパイロット信号の受信タイミングとして検出する。そして、タイミング検出回路３０８は、検出した受信タイミングの情報である受信タイミング情報をスクランブルコード同定回路１０７及びスクランブルコード受信タイミングメモリ１１０へ出力する。この時、タイミング検出回路３０８は、基地局装置毎に受信タイミングを検出するとともに、基地局装置毎の受信タイミング情報をスクランブルコード同定回路１０７及びスクランブルコード受信タイミン
グメモリ１１０へ出力する。
【００５８】
次に、スクランブルコード同定回路１０７の構成の詳細について、図４を用いて説明する。図４は、スクランブルコード同定回路１０７の構成を示すブロック図である。
【００５９】
ＧＩ除去部４０１は、スクランブルコード受信タイミング検出回路１０６から入力した受信タイミング情報の受信タイミングで、帯域フィルタ１０４から入力した受信信号に含まれるＧＩ期間を除去してＦＦＴ部４０２へ出力する。
【００６０】
ＦＦＴ部４０２は、ＧＩ除去部４０１から入力した受信信号をＦＦＴウィンドウ内にてＦＦＴ演算する。そして、ＦＦＴ部４０２は、ＦＦＴ演算結果を相関器４０４−１〜４０４−ｓへ出力する。
【００６１】
スクランブルコードレプリカ生成器４０３は、スクランブルコード受信タイミング検出回路１０６から入力した受信タイミング情報の受信タイミングで、各基地局装置の既知パターンであるスクランブルコードを生成して、生成したスクランブルコードを相関器４０４−１〜４０４−ｓへ出力する。
【００６２】
相関器４０４−１〜４０４−ｓは、ＦＦＴ部４０２から入力したＦＦＴ演算結果とスクランブルコードレプリカ生成器４０３から入力したスクランブルコードとの相関演算を行う。そして、相関器４０４−１〜４０４−ｓは、相関演算結果を加算器４０５へ出力する。
【００６３】
加算器４０５は、相関器４０１−１〜４０４−ｎから入力した相関演算結果を加算して相関値とコード番号のメモリ４０６へ出力する。
【００６４】
相関値とコード番号のメモリ４０６は、加算器４０５から入力した相関演算結果の加算結果を記憶する。そして、相関値とコード番号メモリ４０６は、記憶している相関演算結果の加算結果の中から、スクランブルコード検出回路４０７にて選択された加算結果をスクランブルコード検出回路４０７へ出力する。
【００６５】
スクランブルコード検出回路４０７は、相関値とコード番号のメモリ４０６に記憶されている相関演算結果の加算結果の中から、最も大きい相関値が得られたスクランブルコードを選択する。そして、スクランブルコード検出回路４０７は、選択したスクランブルコードの情報であるスクランブルコード情報をスクランブルコードメモリ１１１へ出力する。この時、スクランブルコード検出回路４０７は、基地局装置毎にスクランブルコードを検出するとともに、基地局装置毎のスクランブルコードをスクランブルコードメモリ１１１へ出力する。
【００６６】
次に、通信端末装置１００及び基地局装置２００の動作について説明する。
【００６７】
最初に、図５（ａ）に示すように、送信データ発生部２０１より直列データ形式にて出力された送信データ＃５０１は、伝送路符号化部２０２にて符号化され、データ変調部２０３にて変調されて多重部２０５に入力する。また、パイロットスケジューラ部２０４より直列データ形式にて出力されたパイロット信号＃５０２は、多重部２０５に入力する。そして、パイロットスケジューラ部２０４は、パイロット信号の送信タイミングを設定する。
【００６８】
図６は、パイロットスケジューラ部２０４が設定するパイロット信号の送信タイミングの一例を示すものである。図６において、横軸が時間であり、縦軸が周波数である。図６
において、送信信号＃６０１は基地局装置２００−１から送信されるものであり、送信信号＃６０２は基地局装置２００−２から送信されるものであるとともに送信信号＃６０３は基地局装置２００−ｐ（ｐは２以上の任意の自然数）から送信されるものである。なお、基地局装置２００−１、２００−２、２００−ｐは各々異なる基地局装置であるとともに、図２と同一構成を有する。送信信号＃６０１には、１無線フレーム＃６０７の先頭シンボルにパイロット信号＃６０４が挿入されており、送信信号＃６０２には、１無線フレーム＃６０８の先頭シンボルにパイロット信号＃６０５が挿入されているとともに、送信信号＃６０３には、１無線フレーム＃６０９の先頭シンボルにパイロット信号＃６０６が挿入されている。また、１無線フレーム＃６０７、＃６０８、＃６０９は、「０」〜「ｍ−１」までのｍ個のシンボルから構成されており、０シンボルが先頭シンボルである。また、各送信信号＃６０１、＃６０２、＃６０３は、「１」〜「ｋ」までのサブキャリア番号を有するｋ個のサブキャリアが周波数軸方向に配列している。
【００６９】
基地局装置２００−１のパイロットスケジューラ部２０４は、時刻ｔ１に送信信号の送信を開始する。これにより、パイロット信号＃６０４は、時刻ｔ１に送信される。また、基地局装置２００−２のパイロットスケジューラ部２０４は、時刻ｔ２に送信信号の送信を開始する。これにより、パイロット信号＃６０５は、時刻ｔ２に送信される。ここで、時刻ｔ１から時刻ｔ２までに経過した時間は、１シンボルの時間＃６１０である。また、基地局装置２００−ｐのパイロットスケジューラ部２０４は、時刻ｔ３に送信信号の送信を開始する。これにより、パイロット信号＃６０６は、時刻ｔ３に送信される。ここで、時刻ｔ１から時刻ｔ３までに経過した時間は、２シンボル以上でかつｍシンボル未満の時間＃６１１である。
【００７０】
次に、多重部２０５は、送信信号の各フレームの先頭シンボルにパイロット信号が挿入されるようにパイロット信号と送信データとを多重して送信信号を生成する。そして、多重部２０５は、パイロットスケジューラ部２０４にて設定された図６に示すようなタイミングで送信されるように、パイロット信号と送信データとを多重して送信信号を生成して出力する。
【００７１】
次に、図５（ｂ）に示すように、直並列変換部２０６は、送信信号を直列データ形式から並列データ形式に変換する。次に、送信信号は、コピー部２０７−１〜２０７−ｎにて複製されて、乗算器２０９−１−１〜２０９−ｎ−ｑで短周期拡散符号と乗算されることにより拡散処理される。図５（ｃ）は、拡散処理された送信信号を示す図である。
【００７２】
次に、拡散処理された送信信号は、合成部２１０にて合成されるとともに、乗算器２１２−１〜２１２−ｎにてスクランブルコードと乗算され、ＩＦＦＴ部２１３にてＩＦＦＴ処理される。そして、ＩＦＦＴ処理された送信信号は、ＧＩ付加部２１４にてＧＩ期間が付加される。図５（ｄ）は、ＩＦＦＴされてＧＩ期間が付加された送信信号を示す図であり、送信データとパイロット信号とが時間軸上に直列に配列される。次に、基地局装置２００は、図５（ｄ）に示す送信信号を送信する。
【００７３】
図７は、基地局装置２００から送信される１ＯＦＤＭシンボル＃７０１の送信信号を示すものである。１ＯＦＤＭシンボル＃７０１は、有効シンボル長＃７０２にＧＩ期間＃７０３を付加したものである。ＧＩ期間＃７０３は、有効シンボル長＃７０２の後半の一部のコピーを先頭に付加したものである。
【００７４】
次に、基地局装置２００から送信された、図８（ａ）に示す信号を受信した通信端末装置１００は、Ａ／Ｄ変換部１０１にて受信信号をＡ／Ｄ変換し、乗算器１０３にてドップラー周波数等に起因する周波数ずれを補正して、帯域フィルタにて所定の帯域のみ通過させる。次に、通信端末装置１００は、スクランブルコード受信タイミング検出回路１０６
及びスクランブルコード同定回路１０７にて、受信信号の１ＯＦＤＭシンボル内の任意の有効シンボル長連続した区間であるＦＦＴウィンドウ＃７０４内をＦＦＴして、各基地局装置２００のパイロット信号の受信タイミング及びスクランブルコードを検出する。パイロット信号の受信タイミング及びスクランブルコードを検出する際には、有効シンボル区間が干渉を受けないようにＦＦＴタイミングを選択するとともに、送信周波数と同じ周波数でかつ送信側と同じ有効シンボル時間でＦＦＴする必要がある。なお、１ＯＦＤＭシンボルにおいて、ＦＦＴウィンドウ＃７０４以外はＦＦＴ演算に使用されないので、ＦＦＴウィンドウ＃７０４以外に妨害及び干渉を含んでいてもＦＦＴ演算結果には影響しない。
【００７５】
また、通信端末装置１００は、周波数測定部１０８にて、測定した周波数と局部発振器１１３から入力した信号の基準となる周波数とを比較して、測定した周波数と局部発振器１１３から入力した信号の周波数との差である周波数ずれｆｄを検出する。
【００７６】
次に、通信端末装置１００は、周波数測定部１０８にて測定した周波数のずれｆｄを周波数ずれ情報として周波数ずれメモリ１０９にて基地局装置２００毎に記憶し、スクランブルコード受信タイミング検出回路１０６にて検出したパイロット信号の受信タイミングをスクランブルコード受信タイミングメモリ１１０にて基地局装置２００毎に記憶するとともに、スクランブルコード同定回路１０７にて検出したスクランブルコードをスクランブルコードメモリ１１１にて基地局装置２００毎に記憶する。
【００７７】
次に、通信端末装置１００は、パイロット信号の受信タイミング及びスクランブルコードに基づいて、復調回路１１２にて受信信号の復調を行う。この際、通信端末装置１００は、同期基地局切替え器１０５にて、図６に示すパイロット信号の送信パターンを複製して記憶する。例えば、同期基地局切替え器１０５は、図６に示すように、時刻ｔ１で基地局装置２００−２のパイロット信号＃６０４を、時刻ｔ２で基地局装置２００−２のパイロット信号＃６０５を復調するような送信パターンを複製して記憶するする。そして、同期基地局切替え器１０５は、記憶している送信パターンに基づいて、復調回路１１２で各基地局装置の信号が復調されるタイミングを推定し、推定した各基地局装置の信号が復調されるタイミングで、スクランブルコード受信タイミングメモリ１１０に記憶されている復調される基地局装置２００のパイロット信号の受信タイミング、及びスクランブルコードメモリ１１１に記憶されている復調される基地局装置２００のスクランブルコードが、復調回路１１２へ出力されるように、切替タイミング信号にて切り替えを制御する。復調回路１１２における復調処理は、復調回路１１２にて、受信信号からＧＩ期間を除去するとともに受信信号をＦＦＴ演算し、その後に短周期拡散符号及びスクランブルコードで逆拡散処理する。これにより、受信信号は、図８（ｂ）に示す状態になる。さらに、復調回路１１２にて、受信信号を並列データ形式から直列データ形式に変換する。これにより、受信信号は、図８（ｃ）に示す状態になる。そして、復調回路１１２は、図８（ｃ）を受信データとして出力する。
【００７８】
次に、各基地局装置から送信されるパイロット信号の送信タイミングの設定の詳細について、図９及び図１０を用いて説明する。図９及び図１０は、パイロット信号の受信タイミング及びパイロット信号の検出の状態を示す図である。
【００７９】
各基地局装置２００におけるパイロット信号の送信タイミングの差は、最小分解能である１ＯＦＤＭシンボル長以上の時間に設定すれば、各基地局装置２００のパイロット信号が重ならないようにすることができる。基地局装置２００間でＯＦＤＭシンボルの送信信号を送信する場合、タイミングずれが生じる場合を想定する。ＧＩ期間を付加したＯＦＤＭは、復調時にはＦＦＴウィンドウ以外のデータであるＧＩ期間のデータは破棄される。従って、通信端末装置１００は、基地局装置２００間の受信タイミング差がこのＧＩ期間以内であれば、互いの基地局装置２００の有効シンボル長を時間分割処理でＦＦＴするこ
とが可能になる。例えば、図９において、基地局装置９００−１のパイロット信号の１ＯＦＤＭシンボル長＃９０１と、基地局装置９００−２のパイロット信号の１ＯＦＤＭシンボル長＃９０２が時間軸上で重なる場合でも、基地局装置９００−１の１ＯＦＤＭシンボル長＃９０１におけるＦＦＴウィンドウ＃９０３と、基地局装置９００−２のＯＦＤＭシンボル長＃９０２におけるＦＦＴウィンドウ＃９０４とが時間軸上で重ならない状態で受信できれば通信端末装置１００は復調可能であり、ＦＦＴウィンドウ＃９０３、＃９０４の受信開始タイミングにてパイロット信号＃９０５、＃９０６を検出することができる。ただし、この場合、基地局装置９００−１のパイロット信号の受信タイミングと基地局装置９００−２のパイロット信号の受信タイミングの差＃９０７がＧＩ期間以内であることが条件となる。
【００８０】
また、基地局装置９００−１のパイロット信号の受信タイミングと基地局装置９００−２のパイロット信号の受信タイミングの差＃９０７がＧＩ期間以内に収めることが困難な場合には、１ＯＦＤＭシンボル時間以上の受信タイミング差にて受信することができれば、通信端末装置１００は、互いの基地局装置２００の有効シンボル長を時間分割処理でＦＦＴすることが可能になる。例えば、図１０において、基地局装置１０００−１のパイロット信号の１ＯＦＤＭシンボル長＃１００１と基地局装置１０００−２のパイロット信号の１ＯＦＤＭシンボル長＃１００２の受信タイミングの差＃１００７が、時間軸上で１ＯＦＤＭシンボル時間以上あれば、通信端末装置１００は復調可能であり、ＦＦＴウィンドウ＃１００３、＃１００４の受信開始タイミングにてパイロット信号＃１００５、＃１００６を検出することができる。即ち、各基地局装置におけるパイロット信号の送信タイミングは、他局のパイロット信号の送信タイミングに対して、フレーム毎に１ＯＦＤＭシンボルの有効シンボル長より長い時間差を設ければ、通信端末装置１００にて受信タイミング及びスクランブルコードを検出することができる。なお、図９及び図１０の基地局装置９００−１、９００−２、１０００−１、１０００−２は、図２と同一構成である。
【００８１】
次に、同期ずれ算出部１１５において基地局装置間の同期ずれ量を算出する具体的な方法について説明する。各基地局装置２００と通信端末装置１００との間の電波伝播時間を、電波の速度（３ｅ＋８）ｍ／ｓｅｃ、及び位置情報と基地局装置の位置とにより求めた基地局装置２００と通信端末装置１００との距離を用いて、通信端末装置１００における基地局装置２００間の電波伝搬時間差を基準値として算出する。また、通信端末装置１００にて２つの基地局装置のパイロット信号の受信タイミングを測定し、測定した基地局装置間の受信タイミング差を検出する。そして、検出した基地局装置間の受信タイミング差と基準値とから、基地局装置間の同期ずれを測定する。
【００８２】
例えば、基地局装置１と通信端末装置１００との距離が１００ｍであり、基地局装置２と通信端末装置１００との距離が５００ｍであるとともに、基地局装置２のパイロット信号が１ｕｓで送信されている場合、基地局装置１の伝播時間は、１００／３ｅ＋８＝０．３３ｕｓであり、基地局装置２の伝播時間は５００／（３ｅ＋８）＝１．６６ｕｓであるので、基地局装置１と基地局装置２とが同期していれば、電波伝搬時間差は１．３３ｕｓになるはずである。しかし、基地局装置２のパイロット信号が基地局装置１のパイロット信号から１ｕｓだけ遅れて検出された場合には、基地局装置２のパイロット信号は０．３３ｕｓ進んだ方向にずれていることがわかる。従って、通信端末装置１００は、基地局装置２のパイロット信号は０．３３ｕｓ進んでいる旨の情報を、誤差の情報である同期ずれ情報として基地局装置２へ通知する。同期ずれ情報を受信した基地局装置２は、受信した同期ずれ情報に基づいて、誤差がなくなるようにパイロット信号の送信タイミングを０．３３ｕｓ遅らせ、基地局装置１と同期を取ることが出来る。このようにして隣り合う全ての基地局装置間で送信タイミングの同期をとることが出来る。同期ずれ量の測定は１つの通信端末装置１００が１度行うだけでなく、異なる場所の通信端末装置１００が異なる時間に複数回行って平均をとることにより、同期ずれ量の検出精度を上げることができる。
【００８３】
このように、本実施の形態１によれば、各基地局装置のパイロット信号を重ならない受信タイミングで受信することができるので、復調部１２１を１つの回路部品にて構成することができることにより、回路規模を小さくすることができる。
【００８４】
（実施の形態２）
図１１は、本発明の実施の形態２に係るパイロット信号の送信タイミングを示す図である。なお、通信端末装置の構成は図１と同一構成であり、基地局装置の構成は図２と同一構成であるので、その説明は省略する。
【００８５】
パイロットスケジューラ部２０４は、他局である他の基地局装置の各フレームにおけるパイロット信号を挿入するシンボルを記憶しており、記憶している他の基地局装置のパイロット信号を挿入するシンボルと異なるシンボルにパイロット信号を挿入するように、自局のパイロット信号の送信タイミングを設定する。そして、パイロットスケジューラ部２０４は、設定したパイロット信号の送信タイミングにて送信データとパイロット信号とが多重されるように、多重部２０５に対して指示する。また、パイロットスケジューラ部２０４は、復調部２１５から入力した同期ずれ情報に基づいてパイロット信号の同期ずれを補正する。
【００８６】
図１１において、横軸が時間であり、縦軸が周波数である。図１１において、送信信号＃１１０１は基地局装置２００−１から送信されるものであるとともに、送信信号＃１１０２は基地局装置２００−２から送信されるものである。送信信号＃１１０１には、１無線フレーム＃１１０３の先頭シンボルから２番目のシンボルにパイロット信号＃１１０４が挿入されているとともに、送信信号＃１１０２には、１無線フレーム＃１１０３の先頭シンボルからｉ−１（０＜ｉ＜ｍ−１）番目のシンボルにパイロット信号＃１１０５が挿入されている。また、１無線フレーム＃１１０３は、「０」〜「ｍ−１」までのｍ個のシンボルから構成されており、０シンボルが先頭シンボルである。また、各送信信号＃１１０１、＃１１０２は、周波数軸方向に「１」〜「ｋ」までのサブキャリア番号を有するｋ個のサブキャリアが配列している。
【００８７】
基地局装置２００−１及び基地局装置２００−２のパイロットスケジューラ部２０４は、時刻ｔ２０に同時に送信信号の送信を開始するが、パイロット信号が挿入されているシンボルが異なるため、基地局装置２００−１のパイロット信号と基地局装置２００−２のパイロット信号とが時間軸上で重なることはない。
【００８８】
このように、本実施の形態２によれば、各基地局装置のパイロット信号を重ならない受信タイミングで受信することができるので、復調部１２１を１つの回路部品にて構成することができることにより、回路規模を小さくすることができる。また、本実施の形態２によれば、複数の基地局装置の無線フレームが同一タイミングで送信されるので、通信端末装置はＡＣＫ及び再送要求を各基地局装置に対して同一タイミングで送信することができ、再送処理による処理負荷を軽減することができる。
【００８９】
（実施の形態３）
図１２及び図１３は、本発明の実施の形態３に係るパイロット信号の送信タイミングを示す図である。なお、通信端末装置の構成は図１と同一構成であり、基地局装置の構成は図２と同一構成であるので、その説明は省略する。
【００９０】
パイロットスケジューラ部２０４は、サブキャリア番号１〜ｋと各フレームの先頭からのシンボル数とで特定される位置の内で、パイロット信号を挿入する位置を制御する。また、パイロットスケジューラ部２０４は、他局である他の基地局装置の各フレームにおけ
るサブキャリア番号１〜ｋとフレームの先頭からのシンボル数とで特定される位置を記憶しており、記憶している他の基地局装置のパイロット信号を挿入する位置と異なる位置にパイロット信号を挿入するように、自局のパイロット信号の送信タイミングを設定する。そして、パイロットスケジューラ部２０４は、設定した位置にパイロット信号を挿入して送信データとパイロット信号とを多重するように、多重部２０５に対して指示する。また、パイロットスケジューラ部２０４は、復調部２１５から入力した同期ずれ情報に基づいてパイロット信号の同期ずれを補正する。
【００９１】
図１２及び図１３において、横軸が時間であり、縦軸が周波数である。図１２において、送信信号＃１２０１は基地局装置２００−１から送信されるものであるとともに、送信信号＃１２０２は基地局装置２００−２から送信されるものである。送信信号＃１２０２は、送信信号＃１２０１のサブキャリア番号とフレームの先頭からのシンボル数とによって特定される各位置に挿入されているパイロット信号及び送信データを、時間軸方向に１シンボルだけシフトしたものである。即ち、送信信号＃１２０１には、１無線フレーム＃１２０３の先頭シンボルのサブキャリア番号１等にパイロット信号＃１２０４が挿入されており、先頭シンボルから２番目のシンボルのサブキャリア番号３等にパイロット信号＃１２０５が挿入される。また、送信信号＃１２０２には、１無線フレーム＃１２０３の先頭シンボルのサブキャリア番号１０等にパイロット信号＃１２０６が挿入されており、先頭シンボルから２番目のシンボルのサブキャリア番号１等にパイロット信号＃１２０７が挿入される。このように、シンボル毎に異なるサブキャリア番号にパイロット信号が挿入されるように制御する。また、１無線フレーム＃１２０３は、「０」〜「ｍ−１」までのｍ個のシンボルから構成されており、０シンボルが先頭シンボルである。また、各送信信号＃１２０１、＃１２０２は、周波数軸方向に「１」〜「ｋ」までのサブキャリア番号を有するｋ個のサブキャリアが配列している。
【００９２】
基地局装置２００−１及び基地局装置２００−２のパイロットスケジューラ部２０４は、時刻ｔ３０に同時に送信信号の送信を開始するが、サブキャリア番号１〜ｋとフレームの先頭からのシンボル数とで特定される位置の内でパイロット信号が挿入されている位置が基地局装置２００−１と基地局装置２００−２とで異なるため、基地局装置２００−１のパイロット信号と基地局装置２００−２のパイロット信号とが、サブキャリア番号とフレームの先頭からのシンボル数とによって特定される位置において重なることはない。
【００９３】
図１３において、送信信号＃１３０１は基地局装置２００−１から送信されるものであるとともに、送信信号＃１３０２は基地局装置２００−２から送信されるものである。送信信号＃１３０２は、送信信号＃１３０１のサブキャリア番号とフレームの先頭からのシンボル数とによって特定される各位置に挿入されているパイロット信号及び送信データを、周波数軸方向に１サブキャリア番号分だけシフトしたものである。即ち、送信信号＃１３０１には、１無線フレーム＃１３０３の先頭シンボルのサブキャリア番号１等にパイロット信号＃１３０４が挿入されており、先頭シンボルから２番目のシンボルのサブキャリア番号３等にパイロット信号＃１３０５が挿入される。また、送信信号＃１３０２には、１無線フレーム＃１３０３の先頭シンボルのサブキャリア番号２等にパイロット信号＃１３０６が挿入されており、先頭シンボルから２番目のシンボルのサブキャリア番号４等にパイロット信号＃１３０７が挿入される。このように、シンボル毎に異なるサブキャリア番号にパイロット信号が挿入されるように制御する。また、１無線フレーム＃１３０３は、「０」〜「ｍ−１」までのｍ個のシンボルから構成されており、０シンボルが先頭シンボルである。また、各送信信号＃１２０１、＃１２０２は、周波数軸方向に「１」〜「ｋ」までのサブキャリア番号を有するｋ個のサブキャリアが配列している。
【００９４】
基地局装置２００−１及び基地局装置２００−２のパイロットスケジューラ部２０４は、時刻ｔ３５に同時に送信信号の送信を開始するが、サブキャリア番号１〜ｋとフレーム
の先頭からのシンボル数とで特定される位置の内でパイロット信号が挿入されている位置が異なるため、基地局装置２００−１のパイロット信号と基地局装置２００−２のパイロット信号とが、サブキャリア番号とフレームの先頭からのシンボル数とによって特定される位置において重なることはない。
【００９５】
このように、本実施の形態３によれば、各基地局装置のパイロット信号を重ならない受信タイミングで受信することができるので、復調部１２１を１つの回路部品にて構成することができることにより、回路規模を小さくすることができる。また、本実施の形態３によれば、複数の基地局装置の無線フレームが同一タイミングで送信されるので、通信端末装置はＡＣＫ及び再送要求を各基地局装置に対して同一タイミングで送信することができ、再送処理による処理負荷を軽減することができる。
【００９６】
（実施の形態４）
図１４は、本発明の実施の形態４に係るパイロット信号の送信タイミングを示す図である。なお、通信端末装置の構成は図１と同一構成であり、基地局装置の構成は図２と同一構成であるので、その説明は省略する。
【００９７】
パイロットスケジューラ部２０４は、他局である他の基地局装置の各フレームにおけるパイロット信号を挿入するサブキャリア番号を記憶しており、記憶している他の基地局装置のパイロット信号を挿入するサブキャリア番号と異なるサブキャリア番号にパイロット信号を挿入するように、自局のパイロット信号の送信タイミングを設定する。そして、パイロットスケジューラ部２０４は、設定したサブキャリア番号のサブキャリアにパイロット信号を挿入することにより送信データとパイロット信号とが多重されるように、多重部２０５に対して指示する。また、パイロットスケジューラ部２０４は、復調部２１５から入力した同期ずれ情報に基づいてパイロット信号の同期ずれを補正する。
【００９８】
図１４において、横軸が時間であり、縦軸が周波数である。図１４において、送信信号＃１４０１は基地局装置２００−１から送信されるものであるとともに、送信信号＃１４０２は基地局装置２００−２から送信されるものである。送信信号＃１４０１には、１無線フレーム＃１４０３のサブキャリア番号１等にパイロット信号＃１４０４が挿入されているとともに、送信信号＃１４０２には、１無線フレーム＃１４０３のサブキャリア番号２等にパイロット信号＃１４０６が挿入されている。また、１無線フレーム＃１４０３は、「０」〜「ｍ−１」までのｍ個のシンボルから構成されており、０シンボルが先頭シンボルである。また、各送信信号＃１４０１、＃１４０２は、周波数軸方向に「１」〜「ｋ」までのサブキャリア番号を有するｋ個のサブキャリアが配列している。
【００９９】
基地局装置２００−１及び基地局装置２００−２のパイロットスケジューラ部２０４は、時刻ｔ４０に同時に送信信号の送信を開始するが、パイロット信号が挿入されているサブキャリア番号が各基地局装置において異なるため、基地局装置２００−１のパイロット信号と基地局装置２００−２のパイロット信号とが周波数軸上において重なることはない。
【０１００】
このように、本実施の形態４によれば、各基地局装置のパイロット信号を重ならない受信タイミングで受信することができるので、復調部１２１を１つの回路部品にて構成することができることにより、回路規模を小さくすることができる。また、本実施の形態４によれば、複数の基地局装置の無線フレームが同一タイミングで送信されるので、通信端末装置はＡＣＫ及び再送要求を各基地局装置に対して同一タイミングで送信することができる。
【０１０１】
なお、上記実施の形態１〜実施の形態４においては、スクランブルコード受信タイミン
グメモリ１１０とスクランブルコードメモリ１１１を別々に設けたが、これに限らず、スクランブルコード受信タイミングメモリ１１０とスクランブルコードメモリ１１１を１つのメモリにしても良い。
【０１０２】
本明細書は、２００５年３月３０日出願の特願２００５−９７９８８に基づく。この内容はすべてここに含めておく。
【産業上の利用可能性】
【０１０３】
本発明にかかる通信端末装置及び基地局装置は、特に下りリンクにＯＦＣＤＭを使用した１周波数繰り返しセルラーシステムに用いるのに好適である。
【図面の簡単な説明】
【０１０４】
【図１】本発明の実施の形態１に係る通信端末装置の構成を示すブロック図
【図２】本発明の実施の形態１に係る基地局装置の構成を示すブロック図
【図３】本発明の実施の形態１に係るスクランブルコード受信タイミング検出回路の構成を示すブロック図
【図４】本発明の実施の形態１に係るスクランブルコード同定回路の構成を示すブロック図
【図５】本発明の実施の形態１に係る基地局装置の動作を説明する図
【図６】本発明の実施の形態１に係るパイロット信号の送信タイミングを示す図
【図７】本発明の実施の形態１に係る１ＯＦＤＭシンボルを示す図
【図８】本発明の実施の形態１に係る通信端末装置の動作を説明する図
【図９】本発明の実施の形態１に係るパイロット信号の受信タイミング及び検出状態を示す図
【図１０】本発明の実施の形態１に係るパイロット信号の受信タイミング及び検出状態を示す図
【図１１】本発明の実施の形態２に係るパイロット信号の送信タイミングを示す図
【図１２】本発明の実施の形態３に係るパイロット信号の送信タイミングを示す図
【図１３】本発明の実施の形態３に係るパイロット信号の送信タイミングを示す図
【図１４】本発明の実施の形態４に係るパイロット信号の送信タイミングを示す図
【図１】
0004914352.tif 000002
【図２】
0004914352.tif 000003
【図３】
0004914352.tif 000004
【図４】
0004914352.tif 000005
【図５】
0004914352.tif 000006
【図６】
0004914352.tif 000007
【図７】
0004914352.tif 000008
【図８】
0004914352.tif 000009
【図９】
0004914352.tif 000010
【図１０】
0004914352.tif 000011
【図１１】
0004914352.tif 000012
【図１２】
0004914352.tif 000013
【図１３】
0004914352.tif 000014
【図１４】
0004914352.tif 000015